(57)【要約】【課題】複数の意匠材８，８，…を多段に積み重ねた意匠材積重ね体Ａを壁やパーティションとして施工したときにも圧迫感が生じ難くし、施工時の端材が生じないようにする。【解決手段】上下に間隔をあけて配置される上側及び下側基材１，２と、両基材１，２間に両者を連結するように設けられ、左右方向に互いに間隔をあけて並んで配置される上下方向に延びる複数本の支持材５と、上下面間を貫通する１つの貫通孔１０を有し、貫通孔１０に支持材５が挿通されることで、両基材１，２間に支持材５に支持された状態で積み重ねられた同じ高さの複数の意匠材８とを備える。互いに隣接する支持材５，５にそれぞれ支持された左右の複数の意匠材８，８，…のうち、同じ高さ位置にある意匠材８，８同士は左右方向に離隔していて、該両意匠材８，８間に空間Ｓが設けられている。【選択図】図１
2016199961.tif 000002
【特許請求の範囲】
【請求項１】
上下方向に間隔をあけて配置される上側及び下側基材と、
上記上側及び下側基材の間に両者を連結するように設けられ、左右方向に互いに間隔をあけて並んで配置される上下方向に延びる複数本の棒状の支持材と、
上下方向に対向する平面からなる上面及び下面と、該上面及び下面間を貫通する１つの貫通孔とを有し、該貫通孔に上記支持材が挿通されることで、上記上側及び下側基材の間に支持材に支持された状態で積み重ねられた複数の意匠材とを備え、
互いに隣接する支持材にそれぞれ支持された左右の複数の意匠材のうち、同じ高さ位置にある意匠材同士は左右方向に離隔していて、該両意匠材間に空間が設けられていることを特徴とする意匠材積重ね体。
【請求項２】
請求項１において、
上側及び下側基材は、平面視で同じ形状を有することを特徴とする意匠材積重ね体。
【請求項３】
請求項１又は２において、
意匠材は、他の意匠材、上側及び下側基材に対し固定されていないことを特徴とする意匠材積重ね体。
【請求項４】
請求項１〜３のいずれか１つにおいて、
支持材及び意匠材の貫通孔の断面形状は円形状であり、
意匠材は支持材に対し回動可能に支持されていることを特徴とする意匠材積重ね体。
【請求項５】
請求項１〜３のいずれか１つにおいて、
支持材及び意匠材の貫通孔の断面形状は非円形状であり、
意匠材は支持材に対し回動不能に支持されていることを特徴とする意匠材積重ね体。
【請求項６】
請求項１〜３のいずれか１つにおいて、
支持材の断面形状は楕円形状又は長円形状であり、
意匠材の貫通孔の断面形状は、２つの楕円形状又は長円形状を各々の長軸の中央を通る中心線回りに９０°ずつずらして交差させた十字形状であり、
意匠材は支持材に対し、該支持材の長軸の中央を通る中心線回りに９０°ずつ角度調整可能に支持されていることを特徴とする意匠材積重ね体。
【請求項７】
請求項１〜３のいずれか１つにおいて、
支持材の断面形状は楕円形状又は長円形状であり、
意匠材の貫通孔の断面形状は、３つ以上の楕円形状又は長円形状を各々の長軸の中央を通る中心線回りに設定角度ずつずらして交差させた星形状であり、
意匠材は支持材に対し、該支持材の長軸の中央を通る中心線回りに上記設定角度ずつ角度調整可能に支持されていることを特徴とする意匠材積重ね体。
【請求項８】
請求項１〜７のいずれか１つにおいて、
意匠材は、２つの棒状の意匠部材が９０°〜１５０°の角度間隔をあけて留め加工されたものであり、
上記両意匠部材の留め加工部分に貫通孔が形成されていることを特徴とする意匠材積重ね体。
【請求項９】
請求項１〜７のいずれか１つにおいて、
意匠材は、互いに幅が異なる断面矩形状の角材からなり、
上記意匠材の幅方向中央に貫通孔が形成されていることを特徴とする意匠材積重ね体。
【請求項１０】
請求項１〜７のいずれか１つにおいて、
意匠材は、互いに幅が異なる断面矩形状の角材からなり、
上記各意匠材には、その幅方向に対向する両側面の一方の側面から同じ距離の位置に貫通孔が形成されていて、該一方の側面が上側及び下側基材の幅方向に対向する両側面のうちの対応する一方の側面と同じ平面上に位置していることを特徴とする意匠材積重ね体。
【請求項１１】
請求項１〜１０のいずれか１つの意匠材積重ね体が建物の壁面に施工されたことを特徴とする装飾壁構造。
【請求項１２】
請求項１〜１０のいずれか１つの意匠材積重ね体が建物の床面に施工されたことを特徴とするパーティション。
【請求項１３】
請求項１〜１０のいずれか１つの意匠材積重ね体が建物の床面に施工されたことを特徴とするカウンター。
【発明の詳細な説明】
【技術分野】
【０００１】
本発明は、複数の意匠材が積み重ねられた意匠材積重ね体、その意匠材積重ね体が施工された装飾壁構造、パーティション及びカウンターに関する。
【背景技術】
【０００２】
従来、複数の木製ブロックや木材を多段に積み重ねて装飾壁を形成することは一般に知られている。例えば特許文献１〜４には、木製ブロックに複数の貫通孔を形成し、これらの複数の木製ブロックをコンクリート基礎上に、基礎に立設したボルトを挿通させて積み重ねるようにした壁構造が提案されている。
【０００３】
また、引用文献５には、複数のコンクリートブロックをコンクリート基礎上にブロックの貫通孔部に基礎のボルトを挿通して積み重ねることが示されている。
【０００４】
さらに、引用文献６には、樹脂製箱状のブロックを積み重ねてパーティションを形成することが提案されている。
【先行技術文献】
【特許文献】
【０００５】
【特許文献１】実公平６−２７６８６号公報
【特許文献２】特開平８−１５８５０８号公報
【特許文献３】特開平１１−１９００８１号公報
【特許文献４】特開２００２−１２９６９７号公報
【特許文献５】特開平７−２７９２７７号公報
【特許文献６】特開２００２−１６１６０２号公報
【発明の概要】
【発明が解決しようとする課題】
【０００６】
ところが、これら従来のものでは、木製や樹脂製、コンクリート製のブロックを多段に積み重ねて壁やパーティションを形成するので、壁やパーティションはその全体が木材等で構成されたものとなり、厚さを多少変えたとしても圧迫感を感じる仕上がりとなるのは否めない。また、ブロックを隙間なく並べるので、寸法の合わない箇所にはブロックを切断する必要があり、その端材が生じる。
【０００７】
本発明は斯かる諸点に鑑みてなされたもので、その目的は、複数のブロックが多段に積み重ねられた積重ね体の構造に工夫を加えることにより、その積重ね体を壁やパーティションとして施工したときにも圧迫感が生じ難くするとともに、施工時の端材が生じないようにすることにある。
【課題を解決するための手段】
【０００８】
上記の目的を達成するために、この発明では、左右方向に並んだ複数の支持材にそれぞれ複数の意匠材（ブロック）を支持材で支持しながら多段に積み重ね、隣接する支持材上の意匠材同士が同じ高さ位置で離隔するようにした。
【０００９】
具体的には、第１の発明の意匠材積重ね体は、上下方向に間隔をあけて配置される上側及び下側基材と、これら上側及び下側基材の間に両者を連結するように設けられ、左右方向に互いに間隔をあけて並んで配置される上下方向に延びる複数本の棒状の支持材と、上下方向に対向する平面からなる上面及び下面、及び該上面及び下面間を貫通する１つの貫通孔を有し、該貫通孔に上記支持材が挿通されることで、上記上側及び下側基材の間に支持材に支持された状態で積み重ねられた複数の意匠材とを備え、互いに隣接する支持材にそれぞれ支持された左右の複数の意匠材のうち、同じ高さ位置にある意匠材同士は左右方向に離隔していて、該両意匠材間に空間が設けられていることを特徴とする。
【００１０】
この第１の発明では、意匠材積重ね体の上側及び下側基材の間に上下方向に延びる複数本の棒状の支持材が左右方向に互いに間隔をあけて配置され、この各支持材にそれぞれ複数の意匠材が各々の貫通孔に支持材を挿通させて支持されており、このことで各支持材毎に複数の意匠材が支持材に支持された状態で積み重ねられて上側及び下側基材の間に配置されている。そして、ある１つの支持材に支持されて積み重ねられた複数の意匠材と、該支持材に隣接する他の支持材に支持されて積み重ねられた複数の意匠材とを対比したときに、同じ高さ位置にある意匠材同士は互いに離隔しており、該両意匠材間に空間（間隔）が設けられている。この意匠材間の空間により意匠材積重ね体に意匠材の欠如部分ができるので、意匠材積重ね体は、左右方向に意匠材が隙間なく積み重ねられた場合のように全てが意匠材にならず、圧迫感が生じる仕上がりにならない。
【００１１】
また、意匠材積重ね体を例えば装飾壁として使用したとき、その意匠材のある部分が凸部となり、意匠材間で意匠材のない空間の部分が凹部となって凹凸感に富んだ意匠性が得られる。しかも、意匠材積重ね体の後側（奥側）の壁部分が意匠材間の空間を通して見えるので、その壁部分の素材に意匠材を組み合わせることで、意匠性を高めることができる。
【００１２】
また、意匠材積重ね体を例えばパーティションやカウンターとして使用したときには、空間を緩やかに仕切ることができる意匠性が得られる。
【００１３】
さらに、意匠材積重ね体では、複数の意匠材は、左右に隣接する支持材上の複数の意匠材のうちの同じ高さ位置にある意匠材同士が互いに離隔するように積み重ねられているので、その同じ高さ位置にある意匠材同士を互いに離隔させるという制約さえ守れば、意匠材の長さや幅等は任意に選択することができる。そのため、意匠材の切断等が不要となり、端材が生じることはない。
【００１４】
また、複数の意匠材をその貫通孔に支持材を挿通させた状態で積み重ねるので、組立性がよく、デザインの自由度を持たせることができる。
【００１５】
第２の発明は、第１の発明において、上側及び下側基材は、平面視で同じ形状を有することを特徴とする。
【００１６】
この第２の発明では、上側及び下側基材が平面視で同じ形状を有するので、上側及び下側基材で同じものを用いることが可能となり、意匠材積重ね体での部品の点数を少なくすることができる。
【００１７】
第３の発明は、第１又は第２の発明において、意匠材は、他の意匠材、上側及び下側基材に対し固定されていないことを特徴とする。
【００１８】
この第３の発明では、各意匠材は他の意匠材や上側及び下側基材に固定されていないので、その意匠材の向きを変えたり、或いは支持材から抜き出して位置を交換したりすることができ、意匠の変更を容易に行うことができる。また、メンテナンス時にも容易に解体できるとともに、必要な意匠材等のみを補修することができ、経済性に優れる。
【００１９】
第４の発明は、第１〜第３の発明のいずれか１つにおいて、支持材及び意匠材の貫通孔の断面形状は円形状であり、意匠材は支持材に対し回動可能に支持されていることを特徴とする。
【００２０】
この第４の発明では、意匠材が回動可能に支持材に支持されているので、この意匠材を回動させてその向きを変えることができ、意匠の変更を容易に行うことができる。例えば、左右両端の支持材に支持されている意匠材の一部又は全てを支持材の並ぶ左右方向と直交する前後方向に延びるように回動させることで、その意匠材積重ね体の左右端部に出隅部分や入隅部分を作ることができる。
【００２１】
第５の発明は、第１〜第３の発明のいずれか１つにおいて、支持材及び意匠材の貫通孔の断面形状は非円形状であり、意匠材は支持材に対し回動不能に支持されていることを特徴とする。
【００２２】
この第５の発明では、意匠材が支持材に回動不能に支持されているので、意匠材の向きを変えないように使用するときに、意匠材に不用意に手等が当たっても意匠材の向きが変わらず、意匠材を所定の向きに安定して保つことができる。
【００２３】
第６の発明は、第１〜第３の発明のいずれか１つにおいて、支持材の断面形状は楕円形状又は長円形状であり、意匠材の貫通孔の断面形状は、２つの楕円形状又は長円形状を各々の長軸の中央を通る中心線回りに９０°ずつずらして交差させた十字形状であり、意匠材は支持材に対し、該支持材の長軸の中央を通る中心線回りに９０°ずつ角度調整可能に支持されていることを特徴とする。
【００２４】
この第６の発明では、支持材は断面形状が楕円形状又は長円形状であるのに対し、意匠材の貫通孔の断面形状は支持材を中心線回りに９０°ずつ回転させたときと同じ２つの形状を有するので、貫通孔において支持材が挿通される部分を変えることで、支持材に対し意匠材を２つの向きのいずれかに固定して支持することができ、意匠材の向きを２つの向きに変更可能にしつつその向きに安定して保つことができる。
【００２５】
第７の発明は、第１〜第３の発明のいずれか１つにおいて、支持材の断面形状は楕円形状又は長円形状であり、意匠材の貫通孔の断面形状は、３つ以上の楕円形状又は長円形状を各々の長軸の中央を通る中心線回りに設定角度ずつずらして交差させた星形状であり、意匠材は支持材に対し、該支持材の長軸の中央を通る中心線回りに上記設定角度ずつ角度調整可能に支持されていることを特徴とする。
【００２６】
この第７の発明では、支持材は断面形状が楕円形状又は長円形状であるのに対し、意匠材の貫通孔の断面形状は支持材を中心線回りに設定角度だけ回転させたときと同じ３つ以上の形状を有するので、貫通孔において支持材が挿通される部分を変えることで、支持材に対し意匠材を複数の向きのいずれかに固定して支持することができ、意匠材の向きを３つの向きに変更可能にしつつその向きに安定して保つことができる。
【００２７】
第８の発明は、第１〜第７の発明のいずれか１つにおいて、意匠材は、２つの棒状の意匠部材が９０°〜１５０°の角度間隔をあけて留め加工されたものであり、上記両意匠部材の留め加工部分に貫通孔が形成されていることを特徴とする。
【００２８】
この第８の発明では、意匠材は、２つの棒状の意匠部材が９０°〜１５０°の間隔をあけて留め加工されて折れ曲がったものであるので、この意匠材を支持材の周りに例えば一定角度ずつずらして積み重ねることで、特異な意匠を形成することができる。
【００２９】
第９の発明は、第１〜第７の発明のいずれか１つにおいて、意匠材は、互いに幅が異なる断面矩形状の角材からなり、上記意匠材の幅方向中央に貫通孔が形成されていることを特徴とする。
【００３０】
この第９の発明では、角材からなる意匠材の幅方向中央に貫通孔が形成されているので、例えば、左右方向に並んだ複数の支持材にそれぞれ意匠材を長さ方向が左右方向（支持材の並んだ方向）に一致するように配置して支持したとき、意匠材の幅方向一方の側面と支持材（貫通孔）との距離が意匠材の幅の大小によって異なるようになり、凹凸感に富んだ意匠性が得られる。
【００３１】
第１０の発明は、第１〜第７の発明のいずれか１つにおいて、意匠材は、互いに幅が異なる断面矩形状の角材からなり、上記意匠材には、その幅方向に対向する両側面の一方の側面から同じ距離の位置に貫通孔が形成されていて、該一方の側面が上側及び下側基材の幅方向に対向する両側面のうちの対応する一方の側面と同じ平面上に位置していることを特徴とする。
【００３２】
この第１０の発明では、角材からなる各意匠材の幅方向一方の側面から同じ距離の位置に貫通孔が形成されているので、例えば、左右方向に並んだ複数の支持材にそれぞれ意匠材を長さ方向が左右方向（支持材の並んだ方向）に一致するように配置して支持したとき、意匠材の幅方向一方の側面と、上側及び下側基材の幅方向に対向する両側面のうちの一方の側面とを同じ平面上に位置付けることができ、これらの側面を面一にして安定感に富んだ意匠性が得られる。
【００３３】
第１１の発明の装飾壁構造は、第１〜第１０の発明のいずれか１つの意匠材積重ね体が建物の壁面に施工されたことを特徴とする。このことで、凹凸感に富んだ意匠を有する装飾壁が得られる。
【００３４】
第１２の発明のパーティションは、第１〜第１０の発明のいずれか１つの意匠材積重ね体が建物の床面に施工されたことを特徴とする。このことで、凹凸感に富んだ意匠を有し穏やかに空間を仕切り得るパーティションが得られる。
【００３５】
第１３の発明のカウンターは、第１〜第１０の発明のいずれか１つの意匠材積重ね体が建物の床面に施工されたことを特徴とする。このことで、凹凸感に富んだ意匠を有し穏やかに空間を仕切り得るカウンターが得られる。
【発明の効果】
【００３６】
以上説明した如く、本発明によると、上側及び下側基材の間に、左右方向に互いに間隔をあけて並んで配置される上下方向に延びる複数本の棒状の支持材を配置し、その各支持材が挿通される貫通孔を有する複数の意匠材を支持材に支持した状態で上下の基材間に積み重ね、互いに隣接する支持材にそれぞれ支持された左右の複数の意匠材のうち、同じ高さ位置にある意匠材同士を左右方向に離隔させて該両意匠材間に空間を設けたことにより、意匠材間の空間により意匠材の欠如部分を形成して、圧迫感を感じる仕上がりのない意匠材積重ね体が得られる。また、意匠材の切断等が不要となるので、端材が生じることはない。
【図面の簡単な説明】
【００３７】
【図１】図１は、本発明の実施形態に係る意匠材積重ね体の正面図である。
【図２】図２は、意匠材積重ね体の側面図である。
【図３】図３は、意匠材積重ね体における上側及び下側基材並びに支持材のみを上側基材が分離された状態で示す正面図である。
【図４】図４は、複数種類の意匠材を例示する拡大斜視図である。
【図５】図５は、幅方向中央に貫通孔が形成された複数の意匠材の配置を示す平面図である。
【図６】図６は、幅方向一方の側面から同じ距離に貫通孔が形成された複数の意匠材の配置を示す図５相当図である。
【図７】図７は、支持材及び意匠材の貫通孔の断面形状の変形例を拡大して示す平面図である。
【図８】図８は、支持材及び意匠材の貫通孔の断面形状の他の変形例を示す図７相当図である。
【図９】図９は、意匠材の変形例を示す平面図である。
【発明を実施するための形態】
【００３８】
以下、本発明の実施形態を図面に基づいて詳細に説明する。以下の実施形態の説明は、本質的に例示に過ぎず、本発明、その適用物或いはその用途を制限することを意図するものでは全くない。
【００３９】
図１及び図２は本発明の実施形態に係る意匠材積重ね体Ａの全体構成を示し、この意匠材積重ね体Ａは、例えば建物の腰壁やカウンター、背の低いパーティション程度の高さを有する。意匠材積重ね体Ａは、仕上げ材となる上側基材１と、土台となる下側基材２とを備え、これら上側及び下側基材１，２はいずれも細長い木製等の角材からなっていて、左右方向に互いに平行に水平に延び、上側基材１は下側基材２の上側に所定の間隔をあけて配置されている。そして、両基材１，２は平面視で同じ形状を有する。
【００４０】
図３に示すように、上側基材１の下面には、例えばその幅方向である前後方向（図３では紙面と直交する方向）の中央の位置に複数（図示例では５つ）の有底円形状の支持材嵌合穴３，３，…が上側基材１の長さ方向（左右方向）に沿って例えば等間隔をあけて並んで形成され、両端部の支持材嵌合穴３，３は上側基材１の長手方向両端部に設けられている。一方、下側基材２の上面にも、例えばその幅方向である前後方向（図３では紙面と直交する方向）の中央の位置に、上記上側基材１の支持材嵌合穴と同じ数の有底円形状の支持材嵌合穴３，３，…が下側基材２の長さ方向（左右方向）に沿って等間隔をあけて並んで形成され、両端部の支持材嵌合穴３，３は下側基材２の長手方向両端部に設けられている。このことで、上側及び下側基材１，２にはそれぞれ複数の支持材嵌合穴３，３，…が上下に対応して形成されている。各支持材嵌合穴３の内径は、後述する支持材５の端部を密嵌合可能な大きさとされている。
【００４１】
上記上側及び下側基材１，２の間には、各基材１，２の支持材嵌合穴３，３，…と同じ数（図示例では５本）の上下方向に延びる棒状の支持材５，５，…が両基材１，２を連結するように設けられている。各支持材５は、所定の外径（例えば１９ｍｍ）を有する断面円形状の金属製等のパイプ材からなり、その上端部は上記上側基材１下面の支持材嵌合穴３に、また下端部は下側基材２上面の支持材嵌合穴３にそれぞれ密嵌合されて固定されており、複数の支持材５，５，…は、上側及び下側基材１，２の長さ方向である左右方向に互いに支持材嵌合穴３，３，…と同じ間隔をあけて並んで配置されている。
【００４２】
さらに、図１及び図２に示すように、上側及び下側基材１，２の間には、各支持材５毎に複数（図示例では１４）の意匠材８，８，…が支持材５に支持された状態で積み重ねられている。図４に示すように、これらの意匠材８，８，…は、互いに厚さが同じでかつ長さ及び幅の一方又は両方が異なる断面矩形状の複数種類の木製等の角材からなり、上下方向（厚さ方向）に対向する平面からなる上面（表面）及び下面（裏面）を有する。図４では、長さが短く幅が大きい最大幅の意匠材８（図４手前側のもの）と、長さが長く幅が小さい最大長さの意匠材８（図４奥側のもの）と、長さ及び幅が前２者の間にある中間長さ及び中間幅の意匠材８との３種類を例示している。尚、この図４は１例であり、意匠材８の種類を長さ及び幅が異なるようにさらに増やしてもよい。また、意匠材８は幅及び長さがいずれも同じであってもよく、その場合は後述する貫通孔１０の位置を変えることで、種類を異ならせる必要がある。
【００４３】
各意匠材８は木製の角材からなす場合、間伐材を用いて形成することができる。また、樹種の異なる木材を意匠材８とすることもできる。
【００４４】
各意匠材８には、その上面と下面との間を貫通する１つの断面円形状の貫通孔１０が形成され、この貫通孔１０は、例えば図５に示すように、互いに幅が異なる意匠材８，８，…の各々の長さ方向の任意の位置であるが、幅方向についてはその中央位置に形成されている。貫通孔１０は、上記支持材５が挿通可能となる内径（例えば２０ｍｍ）を有しており、複数の意匠材８，８，…は、各々の貫通孔１０に支持材５が挿通されることで、上側及び下側基材１，２の間に支持材５に支持された状態で複数段（図示例では１４段）に積み重ね（積み上げ）られている。また、各意匠材８は、上下に隣接する他の意匠材８，８並びに上側及び下側基材１，２に対し固定されておらず、それらに対し回動可能及び分離可能となっている。また、支持材５及び意匠材８の貫通孔１０の断面形状は共に円形状であることから、各意匠材８は支持材５に対し回動可能に支持されている。
【００４５】
そして、各意匠材８の長さとその長さ方向での貫通孔１０の位置とを適切に組み合わせることにより、図１に示すように、互いに隣接する支持材５，５にそれぞれ支持された左右の複数の意匠材８，８，…のうち、同じ高さ位置にある意匠材８，８同士は左右方向に離隔していて、それら両意匠材８，８間に空間Ｓが設けられている。例を挙げると、図１において、例えば左から２番目の支持材５に支持された１４段の意匠材８，８，…のうちの上から５番目の意匠材８Ａと、左から３番目（左右中央）の支持材５に支持された１４段の意匠材８，８，…のうちの上から５番目の意匠材８Ｂとは同じ高さ位置にあり、これら左右に隣り合う両意匠材８Ａ，８Ｂ同士は左右方向に離隔していて両意匠材８Ａ，８Ｂ間に空間Ｓ１が設けられている。また、他の例では、同様に、左から３番目の支持材５に支持された意匠材８，８，…のうちの下から３番目の意匠材８Ｃと、右から２番目の支持材５に支持された意匠材８，８，…のうちの下から３番目の意匠材８Ｄとは同じ高さ位置にあり、これら両意匠材８Ｃ，８Ｄ同士は左右方向に離隔していて両意匠材８Ｃ，８Ｄ間に空間Ｓ２が設けられている。
【００４６】
上記意匠材積重ね体Ａは、建物の壁面や床面（いずれも図示せず）に施工されるようになっている。建物の壁面に施工される場合には、意匠材積重ね体Ａは、上側及び下側基材１，２の両方が建物の壁面に固定された状態で、壁面に沿うように施工される。一方、床面に施工される場合には、意匠材積重ね体Ａは、下側基材２が建物の床面に固定されて、その床面上に起立するように施工される。そして、意匠材積重ね体Ａを建物の壁面に施工することにより、装飾壁構造が得られる。また、意匠材積重ね体Ａを建物の床面に施工することにより、パーティションやカウンターが得られる。カウンターでは、上側基材１の上側に図外の天板が固定される。
【００４７】
このような意匠材積重ね体Ａを組み立てる場合、まず、下側基材２上面の各支持材嵌合穴３にそれぞれ支持材５の下端部を嵌合して固定することにより、複数の支持材５，５，…を下側基材２上に立てる（図３参照）。次いで、各支持材５に複数の意匠材８，８，…をその各貫通孔１０に支持材５を挿通して支持しながら積み重ねる。そのとき、互いに隣接する支持材５，５にそれぞれ支持される意匠材８，８，…の長さを適切に組み合わせ、上記のように、互いに隣接する支持材５，５にそれぞれ支持された左右の複数の意匠材８，８，…のうち、同じ高さ位置にある意匠材８，８同士が左右方向に離隔し、両意匠材８，８間に空間Ｓが設けられるようにする。そして、最後に、上側基材１を載せ、その下面の各支持材嵌合穴３にそれぞれ各支持材５の上端部を嵌合して固定すればよい。
【００４８】
したがって、上記実施形態に係る意匠材積重ね体Ａは、上側及び下側基材１，２の間に上下方向に延びる複数本の支持材５，５，…が左右方向に互いに間隔をあけて配置され、この各支持材５にそれぞれ複数の意匠材８，８，…が各々の貫通孔１０に支持材５を挿通させて支持されており、各支持材５毎に複数の意匠材８，８，…が支持材５に支持された状態で積み重ねられて上側及び下側基材１，２の間に配置されている。そして、ある１つの支持材５に支持されて積み重ねられた複数の意匠材８，８，…と、その支持材５に隣接する他の支持材５に支持されて積み重ねられた複数の意匠材８，８，…とを対比したときに、同じ高さ位置にある意匠材８，８同士は互いに離隔しており、両意匠材８，８間に空間Ｓ（間隔）が形成されている。すなわち、この意匠材８，８間の空間Ｓにより意匠材積重ね体Ａには意匠材８の欠如部分ができるので、左右方向に意匠材８，８，…が隙間なく積み重ねられた場合のように全てが意匠材８にならず、その場合に比べて意匠材積重ね体Ａに圧迫感が生じることはない。
【００４９】
また、意匠材積重ね体Ａを例えば建物の壁面に施工して装飾壁として使用したとき、その意匠材８，８，…のある部分が凸部となり、意匠材８，８間で意匠材８のない空間Ｓの部分が凹部となって凹凸感に富んだ意匠性が得られる。しかも、意匠材積重ね体Ａの後側（奥側）にある建物の壁面が意匠材８，８間の空間Ｓを通して見えるので、その壁面の素材に意匠材８を組み合わせることで、意匠性を高めることができる。
【００５０】
また、意匠材積重ね体Ａを例えば建物の床面上に施工してパーティションやカウンターとして使用したときには、空間を緩やかに仕切ることができる意匠性が得られる。
【００５１】
さらに、意匠材積重ね体Ａの複数の意匠材８，８，…は、左右に隣接する支持材５，５上の複数の意匠材８，８，…のうち、同じ高さ位置にある意匠材８，８同士が互いに離隔するように積み重ねられているので、その同じ高さ位置にある意匠材８，８同士を互いに離隔させるという制約さえ守れば、意匠材８の長さや幅等は任意に選択することができる。そのため、長さ調整のための意匠材８の切断等が不要となり、端材が生じることはない。
【００５２】
また、複数の意匠材８，８，…をその貫通孔１０に支持材５を挿通させた状態で積み重ねるので、組立性がよく、デザインの自由度を持たせることができる。
【００５３】
また、上側及び下側基材１，２が平面視で同じ形状を有するので、上側及び下側基材１，２で互いに同じものを用いることができるようになり、両基材１，２の共用により、意匠材積重ね体Ａにおける部品の点数を少なくすることができる。
【００５４】
また、各意匠材８が他の意匠材８や上側及び下側基材１，２に固定されていないので、その意匠材８の向きを変えたり、或いは意匠材８を支持材５から抜き出して位置を交換したりすることができ、意匠の変更を容易に行うことができる。しかも、意匠材積重ね体Ａはメンテナンス時にも容易に解体できるとともに、必要な意匠材８等のみを補修することができ、経済性に優れたものとなる。
【００５５】
さらに、支持材５及び意匠材８の貫通孔１０の断面形状は円形状で、意匠材８は支持材５に対し回動可能に支持されているので、この意匠材８を回動させてその向きを変えることができ、意匠の変更を容易に行うことができる。例えば、図２に示すように、左右両端の支持材５，５にそれぞれ支持されている意匠材８，８，…の一部（図示例では１つ置き）又は全てを支持材５の並ぶ左右方向と直交する前後方向（図２では左右方向）に延びるように回動させることで、その意匠材積重ね体Ａの左右端部に出隅部分や入隅部分を作ることができる。
【００５６】
また、複数の意匠材８，８，…は、互いに幅が異なる断面矩形状の角材であっても、その各々の幅方向中央に貫通孔１０が形成されているので、図５に示すように、例えば左右方向に並んだ複数の支持材５，５，…にそれぞれ意匠材８，８，…を長さ方向が左右方向（支持材５の並んだ方向）に一致するように配置して支持することで、意匠材８，８，…の幅方向一方の側面（前面又は後面）と支持材５（貫通孔１０）との距離が意匠材８の幅の大小によって異なるようになる。その結果、凹凸感に富んだ意匠性が得られる。
【００５７】
そして、意匠材積重ね体Ａが建物の壁面に施工された装飾壁構造では、凹凸感に富んだ意匠を有する装飾壁が得られる。また、意匠材積重ね体Ａが建物の床面に施工されたパーティションは、凹凸感に富んだ意匠を有し穏やかに空間を仕切り得るパーティションとなる。さらに、意匠材積重ね体Ａが建物の床面に施工されたカウンターも、凹凸感に富んだ意匠を有し穏やかに空間を仕切り得るカウンターとなる。
【００５８】
（変形例）
次に、意匠材積重ね体Ａの種々の変形例について説明する。上記実施形態では、図５に示すように、互いに幅が異なる意匠材８，８，…の各々の幅方向中央に貫通孔１０を形成している。これに代え、図６に示すように、幅が異なる意匠材８，８，…の各々に、その幅方向（前後方向）に対向する側面としての前後面のうちの一方である、図６下側の前面（一方の側面）から同じ距離ｘの位置に貫通孔１０を形成するようにしてもよい。こうすれば、複数の意匠材８，８，…において、その貫通孔１０から同じ距離ｘにある前面がいずれも同じ鉛直面上に揃って位置することとなり、この各前面を上側及び下側基材１，２において幅方向（前後方向）に対向する前後面のうちの一方である、図６下側の前面（一方の側面）と同じ平面上に位置付けることで、意匠材８，８，…の幅方向一方の側面である前面と、上側及び下側基材１，２の幅方向に対向する両側面のうちの一方の側面である前面とが面一になり、安定感に富んだ意匠性が得られる。尚、上記とは逆に、意匠材８，８，…の各々の後面（一方の側面）から同じ距離に貫通孔１０を形成することで、複数の意匠材８，８，…において、その貫通孔１０から同じ距離にある後面をいずれも同じ鉛直面上に揃って位置付け、この後面を上側及び下側基材１，２の後面（対応する一方の側面）と同じ平面上に位置付けてもよい。
【００５９】
また、上記実施形態では、支持材５及び各意匠材８の貫通孔１０の各断面形状は円形状としているが、長円形状や楕円形状、多角形状等の非円形状としてもよい。この断面非円形状の貫通孔１０に同形状の支持材５が挿通されることで、意匠材８，８，…が支持材５に対し回動不能に支持されるようになる。このように、意匠材８を支持材５に回動不能に支持することにより、意匠材８の向きを変えないように使用する条件があるときに、意匠材８に不用意に手等が当たっても意匠材８の向きが変わらず、意匠材８を所定の向きに安定して保つことができる。
【００６０】
尚、上記のように各意匠材８を回動不能にするために支持材５に固定するのではなく、他の構造や手段によって回動不能にするようにしてもよい。例えば、図示しないが、各意匠材８に、意匠材８の上下面間を貫通する係合孔を貫通孔１０とは別に形成して、その係合孔に棒状、ワイヤ状、ロープ状の係合部材を挿通し、その係合部材の上下端部を上下の基材１，２に固定することにより、意匠材８を回動不能に固定するようにしてもよい。また、上下に隣接する意匠材８，８同士を両面テープや接着剤等で接着して回動不能に固定することもできる。
【００６１】
さらに、図７に示すように、支持材５は断面が長円形状（楕円形状であってもよい）のものとする一方、意匠材８の貫通孔１０の断面形状は、２つの長円形状（楕円形状であってもよい）を各々の長軸の中央を通る中心線Ｏの回りに９０°ずつずらして交差させた十字形状とすることにより、意匠材８を支持材５に対し、支持材５の長軸の中央を通る中心線Ｏ回りに９０°ずつ角度調整可能に支持するようにしてよい。こうすることで、支持材５は断面形状が長円形状であるのに対し、意匠材８の貫通孔１０の断面形状は支持材５を中心線Ｏ回りに９０°ずつ回転させたときと同じ２つの形状を有するので、貫通孔１０において支持材５が挿通される部分を２通りに変えることで、支持材５に対し意匠材８を２つの向きのいずれかに固定して支持することができ、意匠材８の向きを２つの向きに変更可能にしつつその向きに安定して保つことができる。
【００６２】
また、同様に、図８に示すように、支持材５の断面形状は長円形状（楕円形状であってもよい）とするが、意匠材８の貫通孔１０の断面形状は、３つ以上（図示例では４つ）の長円形状（楕円形状であってもよい）を各々の長軸の中央を通る中心線Ｏの回りに設定角度（図示例では４５°）ずつずらして交差させた星形状とすることにより、意匠材８を支持材５に対し、支持材５の長軸の中央を通る中心線Ｏ回りに上記設定角度ずつ角度調整可能に支持するようにしてもよい。この場合も、支持材５は断面形状が長円形状であるのに対し、意匠材８の貫通孔１０の断面形状は支持材５を中心線Ｏ回りに設定角度だけ回転させたときと同じ３つ以上の形状を有するので、貫通孔１０において支持材５が挿通される部分を変えることで、支持材５に対し意匠材８を複数の向きのいずれかに固定して支持することができ、意匠材８の向きを３つ以上の向きに変更可能にしつつその向きに安定して保つことができる。
【００６３】
また、上記実施形態では、意匠材８は断面矩形状の角材からなるものとしているが、これに代えて、図９に示すように、意匠材８は、２つの断面矩形状の棒状の意匠部材８ａ，８ａが９０°〜１５０°の角度θの間隔をあけて留め加工されたものとし、その両意匠部材８ａ，８ａの留め加工部分に例えば断面長円形状の貫通孔１０を形成してもよい。この意匠材８は、２つの棒状の意匠部材８ａ，８ａが留め加工されて折れ曲がったものであるので、この意匠材８を複数用いて、支持材５の周りに例えば一定角度（１８０°）ずつずらして積み重ねることで、特異な意匠を形成することができる。尚、この貫通孔１０は断面円形状であってもよい。
【００６４】
尚、上記実施形態では、複数種類の意匠材８，８，…は、長さ及び幅の一方又は両方が異なり、厚さ（高さ）が同じ角材としているが、厚さも異なる角材を用いてもよい。要は、互いに隣接する支持材５，５にそれぞれ支持された左右の複数の意匠材８，８，…のうち、同じ高さ位置にある意匠材８，８同士が左右方向に離隔して両意匠材８，８間に空間Ｓが設けられるようにすればよい。
【００６５】
また、本発明では、意匠材は、上下方向に対向する平面からなる上面及び下面を有するものであれば、どのような形状でもあっても採用することができ、それらの上面及び下面間を貫通する１つの貫通孔を形成すればよい。
【産業上の利用可能性】
【００６６】
本発明は、圧迫感を感じる仕上がりがなく、端材が生じることのない意匠材積重ね体が得られるので、極めて有用である。
【符号の説明】
【００６７】
Ａ  意匠材積重ね体
Ｓ，Ｓ１，Ｓ２  空間
１  上側基材
２  下側基材
５  支持材
８，８Ａ〜８Ｄ  意匠材
８ａ  意匠部材
１０  貫通孔
Ｏ  中心線
ｘ  距離
【図１】
2016199961.tif 000003
【図２】
2016199961.tif 000004
【図３】
2016199961.tif 000005
【図４】
2016199961.tif 000006
【図５】
2016199961.tif 000007
【図６】
2016199961.tif 000008
【図７】
2016199961.tif 000009
【図８】
2016199961.tif 000010
【図９】
2016199961.tif 000011